(57)【特許請求の範囲】
【請求項１】
ＡＴＭ回線を収容する複数の回線対応部と、前記回線対応部が多重化された回線収容部からのセルの交換を行い、セルを一時的に蓄積するバッファを含むＡＴＭスイッチ部を有するＡＴＭ交換システムにおけるＡＴＭ輻輳制御表示方法において、
前記ＡＴＭスイッチ部のバッファ内のセル蓄積量を計数し、前記セル蓄積量の計数値が予め設定された設定変更可能な輻輳状態レジスタの設定値と比較して輻輳状態を監視する輻輳監視手順と、
前記輻輳監視手順の監視結果、前記セル蓄積量の計数値が予め設定された輻輳状態レジスタの設定値を越える場合に、読みだしセルのヘッダに輻輳表示ビットを前記バッフアの後段のセルに付与することにより、セル単位に輻輳表示を行う輻輳表示付与手順を有し、
前記輻輳表示付与手順は、ヘッダに輻輳表示ビットが付与されるセルが、バッファ内のセル蓄積量の大小に応じて、セル間隔を変化して付与し、セルの輻輳表示を制御する輻輳表示制御手順を有することを特徴とするＡＴＭ輻輳制御表示方法。
【発明の詳細な説明】
【０００１】
【発明の属する技術分野】
本発明は、ＡＴＭ交換機に関し、特に、ＡＴＭ交換機の輻輳制御表示方法に関する。
【０００２】
【従来の技術】
従来のＡＴＭセルバッファの輻輳制御は、特開平０８−２２３１７４号公報に開示され、図２に示すように、ＡＴＭ回線に対応し前段のＡＴＭセルバッファ９０Ａ〜９５Ａと、後段のＡＴＭセルバッファ９０Ｂと、輻輳監視部９６から構成され、監視・制御されている。
【０００３】
セルの流れは、ＡＴＭセルバッファ９０Ａ〜９５ＡからＡＴＭセルバッファ９０Ｂの方向にある。ＡＴＭセルバッフア９０Ａ〜９５Ａのセルは多重されてＡＴＭセルバッファ９０Ｂに蓄積される。ＡＴＭセルバッファ９０Ｂのバッファ蓄積量は輻輳監視部９６により監視されている。
【０００４】
輻輳監視部９６は、ＡＴＭセルバッファ９０Ｂの蓄積量が危険域に達したと判断すると、輻輳が発生したことを輻輳表示信号によりＡＴＭセルバッファ９０Ａ〜９５Ａに通知する。ＡＴＭセルバッファ９０Ａ〜９５Ａは、輻輳表示信号が解除されるまで、ＡＴＭセルバッファ９０Ｂへのセル出力を止める。輻輳監視部９６は、ＡＴＭセルバッファ９０Ｂの蓄積量が安全域に達したと判断した時点で、輻輳表示信号を解除する。  ＡＴＭセルバッファ９０Ａ〜９５Ａは、輻輳表示信号の解除によって、ＡＴＭセルバッファ９０Ｂへのセル出力を再開する。
【０００５】
【発明が解決しようとする課題】
第１の問題点は、前段のＡＴＭセルバッファの蓄積量の状態把握ができず、具備されているバッファ容量を有効に活用できないことである。
【０００６】
その理由は、前段のＡＴＭセルバッファはＡＴＭ回線単位の制御で、後段のＡＴＭセルバッファの輻輳状態中は、そのバッファの蓄積量が落ち着くまで、前段のＡＴＭセルバッファへの再流入を止めているためである。
【０００７】
第２の問題点は、  前段のＡＴＭセルバッファへの輻輳表示信号の通知機能を実装するためのハードウェア規模が大きいことである。
【０００８】
その理由は、前段のＡＴＭセルバッファへの輻輳表示信号の通知のためには、ユーザセルとは別に制御用の信号線や、制御用セルが必要なためである。
【０００９】
第３の問題点は、セルの宛先単位でＡＴＭ交換機の輻輳状態を知ることができないことである。
【００１０】
その理由は、輻輳表示信号の通知が後段のＡＴＭセルバッファ単位で行われ、分解能が無いためである。
【００１１】
本発明の目的は、ＡＴＭ交換機内のＡＴＭセルバッファの輻輳状態に応じて、ＡＴＭセルバッファ毎に輻輳制御表示を行い、セルの宛先毎にＡＴＭ交換機の輻輳状態を認識するＡＴＭ輻輳制御表示方法を提供することである。
【００１２】
【課題を解決するための手段】
本発明のＡＴＭ輻輳制御表示方法は、ＡＴＭ回線を収容する複数の回線対応部と、回線対応部が多重化された回線収容部からのセルの交換を行い、セルを一時的に蓄積するバッファを含むＡＴＭスイッチ部を有するＡＴＭ交換システムにおけるＡＴＭ輻輳制御表示方法において、ＡＴＭスイッチ部のバッファ内のセル蓄積量を計数し、セル蓄積量の計数値が予め設定された設定変更可能な輻輳状態レジスタの設定値と比較して輻輳状態を監視する輻輳監視手順と、輻輳監視手順の監視結果、セル蓄積量の計数値が予め設定された輻輳状態レジスタの設定値を越える場合に、読みだしセルのヘッダに輻輳表示ビットをバッフアの後段のセルに付与することにより、セル単位に輻輳表示を行う輻輳表示付与手順を有することを特徴とする。
【００１３】
また、輻輳表示付与手順は、ヘッダに輻輳表示ビットが付与されるセルが、バッファ内のセル蓄積量の大小に応じて、セル間隔を変化して付与し、セルの輻輳表示を制御する輻輳表示制御手順を有することを特徴とする。
【００１４】
本発明のＡＴＭ輻輳制御表示方法は、  バッファ内のセル蓄積量により輻輳状態を検知し、セル単位毎の輻輳表示を行い、セル単位に輻輳表示ビットを付与する。本発明は、セルの宛先単位にバッファの輻輳状態の表示が行えるので、バッファ蓄積量が安全域に達するまで流入セルを止める必要がなく、セルの宛先単位でバッファへの流入セル量を制御することができる。また、セルの宛先単位で、後段バッファの輻輳状態を知ることができる。また、セルのヘッダの特定ビットにより輻輳表示するので、輻輳通知の信号専用の外部回路と、保守用セルの組み立て／挿入回路を備える必要が無い。
【００１５】
【発明の実施の形態】
次に、本発明の実施の形態について、図面を参照して、説明する。
本発明のブロック構成は、ＡＴＭセルバッファ１ＡからＡＴＭセルバッファ１Ｂへのセルの流れと、ＡＴＭセルバッファ２ＢからＡＴＭセルバッファ２Ａへのセルの流れがあり、ＡＴＭセルバッファ１Ｂの蓄積量を監視する輻輳監視部３と、ＡＴＭセルバッファ２Ｂのセルの論理チャネル単位に輻輳状態を表示する輻輳表示部４からなる。
【００１６】
セルには、予め輻輳状態発生中の表示を行うためのビットを設けておく。
【００１７】
輻輳表示部４には、セルの論理チャネルを確認するヘッダチェック部４１と、セル内に輻輳表示のためのビットを付与する輻輳表示付与部４２がある。
【００１８】
ＡＴＭセルバッファ１Ａからの出力セルは、ＡＴＭセルバッファ１Ｂに受信され蓄積される。
【００１９】
ＡＴＭセルバッファ１Ｂのセル蓄積量が増加し輻輳監視部３で輻輳状態を検出した場合、その輻輳状態に応じてセルの流れを止めたい論理チャネルの情報を輻輳表示部４に通知する。
【００２０】
このように、論理チャネル番号別に輻輳状態を付与できる機能を設けることによって流量をフレキシブルに調節することができるようになる。
【００２１】
輻輳表示部４では、輻輳通知を受けた論理チャネル番号と、ＡＴＭセルバッファ２Ｂのセル論理チャネル番号とが一致した場合、ヘッダチェック部４１は、“一致”を輻輳表示付与部４２に通知する。
【００２２】
輻輳表示付与部４２では、そのセル内に予め決められたビットに輻輳発生中を示す表示を付与する。
【００２３】
また、輻輳発生中を示す表示は、セルのカウンタ回路により、ｎ分の１回付与することにより輻輳レベルもあわせて通知することができる。
【００２４】
ヘッダチェック部４１の結果を、常に“一致”にすることで、全セルの流入を止めることができる。よって、従来通りの機能実現も容易に、しかも専用の信号線やセルも必要なしで実現できる。
【００２５】
【発明の効果】
第１の効果は、前段のバッファ蓄積量増加の必要性が無いことや、具備されているバッファ容量を有効に活用できることである。
【００２６】
その理由は、セルの宛先単位にバッファの輻輳状態の表示を行えるためである。
【００２７】
第２の効果は、輻輳通知機能実現のためのハードウェア量を削減できることである。
【００２８】
その理由は、セルの特定ビットで表示するだけなので、通知のための外部回路や、保守用セルを組み立て／挿入の必要が無いためである。
【００２９】
第３の効果は、セルの宛先単位でバッファヘの流入セル量を制御することができることである。
【００３０】
その理由は、セルの宛先では、セルの宛先単位で、後段バッファの輻輳を知ることができるためである。
【図面の簡単な説明】
【図１】本発明の一実施例を説明するためのブロック図である。
【図２】従来の実施例を説明するためのブロック図である。
【符号の説明】
１Ａ、１Ｂ、２Ａ、２Ｂ    ＡＴＭセルバッファ
３    輻輳監視部
４    輻輳表示部
４１    ヘッダチェック部
４２    輻輳表示付与部
９０Ａ〜９５Ａ、９０Ｂ    ＡＴＭセルバッファ
９６    輻輳監視部
【図１】
0003610353.tif 000002
【図２】
0003610353.tif 000003